(57)【要約】【課題】取り扱い性や機能性が改善されたシンプルな構造の止水部材を提供する。【解決手段】止水部材１０は、構造物の開口部の一方と他方とを仕切る扉１２が閉じられた状態で、扉１２の下縁部１２ａまたは側縁部１２ｂと、扉１２に対して一方に位置され他方を向いた構造物の支持面と、の間の第一の隙間Ａに挿入される第一の部分１４と、第一の部分１４よりも扉１２の周縁部から離れて位置され、扉１２の下部の一方で、第一の隙間Ａよりも大きい第二の隙間Ｂをあけて面した第二の部分１６と、を備える。【選択図】図４
2020128699.tif 000002
【特許請求の範囲】
【請求項１】
構造物の開口部の一方と他方とを仕切る扉が閉じられた状態で、前記扉の下縁部または側縁部と、前記扉に対して前記一方に位置され前記他方を向いた前記構造物の支持面と、の間の第一の隙間に挿入される第一の部分と、
前記第一の部分よりも前記扉の周縁部から離れて位置され、前記扉の下部の前記一方で、前記第一の隙間よりも大きい第二の隙間をあけて面した第二の部分と、
を備えた止水部材。
【請求項２】
前記第一の部分は、前記扉の前記他方の側から前記第二の隙間に水を導入可能に構成された請求項１に記載の止水部材。
【請求項３】
前記第一の部分には、前記第二の部分と前記扉の一方との間の前記第二の隙間に水を導入する連通溝が形成された請求項１または請求項２に記載の止水部材。
【請求項４】
前記第二の部分は、前記扉の幅方向で前記構造物に接する位置まで延設される請求項１から請求項３のいずれか１項に記載の止水部材。
【請求項５】
前記第一の部分と前記支持面との間には、シール部材が介在する請求項１から請求項４のいずれか１項に記載の止水部材。
【請求項６】
前記シール部材は、前記第一の部分の外縁部から離れた位置に固定される請求項５に記載の止水部材。
【発明の詳細な説明】
【技術分野】
【０００１】
本発明は、止水部材に関する。
【背景技術】
【０００２】
従来、構造物の開口部に適用して当該構造物の内部への浸水を抑制する止水板（防水板、止水部材）が知られている。例えば、外開き式の扉体が構造物の開口部（ドア枠）に開閉可能に取り付けられている場合で、ドア枠に設けられた戸当りとドアの間、つまりドアの内側（屋内側）に止水板を挟持させて止水を行う防水ドア構造及び止水板が提案されている（特許文献１参照）。この防水ドア構造の止水板は、扁平な板材の外縁部の表裏にシールを備えたもので、戸当りと扉体との僅かな隙間に止水板を挟み込むことでシールを変形させて止水性能を向上させている。
【先行技術文献】
【特許文献】
【０００３】
【特許文献１】特開２０１４−２１８７９４号公報
【発明の概要】
【発明が解決しようとする課題】
【０００４】
一般的な止水板は、ドアの外側（屋外側）にされるものが主流であり、上述したような屋内側に配置する止水板には、設置時や運搬時の取り扱いや機能に関して改善の余地があった。
【０００５】
本発明は、上記の事情に鑑みてなされたものであって、取り扱い性や機能性が改善されたシンプルな構造の止水部材を提供することを目的とする。
【課題を解決するための手段】
【０００６】
上記目的を達成するために、本実施形態に係る止水部材は、構造物の開口部の一方と他方とを仕切る扉が閉じられた状態で、上記扉の下縁部または側縁部と、上記扉に対して上記一方に位置され上記他方を向いた上記構造物の支持面と、の間の第一の隙間に挿入される第一の部分と、上記第一の部分よりも上記扉の周縁部から離れて位置され、上記扉の下部の上記一方で、上記第一の隙間よりも大きい第二の隙間をあけて面した第二の部分と、を備える。この構成によれば、例えば、扉が閉じられた状態で第二の部分が扉の一方から第二の隙間をあけて面するので、扉と第二の部分との間に手指が挿入可能となる。その結果、設置作業の最後まで止水部材の支持が容易になり、止水部材の設置姿勢の調整が容易にできる。また、支持面と接する第一の部分より第二の部分が開口部の一方（例えば屋内側）に位置するので、止水部材の重心位置が開口部の一方側になる（偏る）。その結果、設置作業及び取り外し作業を行う場合に、止水部材が支持面に寄りかかり倒れにくい状態になるので、止水部材の取り扱いが容易になるとともに設置機能性が改善できる。
【０００７】
また、本実施形態に係る止水部材の上記第一の部分は、例えば、上記扉の上記他方の側から上記第二の隙間に水を導入可能に構成されてもよい。この構成によれば、例えば、扉の他方（例えば屋外側）が冠水して扉の他方に水圧がかかっている場合でも、扉の一方（例えば屋内側）と第二の部分で形成される第二の隙間に水が導入されるので、扉の一方と他方で水圧差が軽減される。その結果、取り扱いを容易にしつつ、扉の外が冠水した状態でも扉を開けやすくなり、設置時（止水時）の機能性(利便性)が改善（向上）できる。
【０００８】
また、本実施形態に係る止水部材の上記第一の部分には、例えば、上記第二の部分と上記扉の一方との間の上記第二の隙間に水を導入する連通溝が形成されていてもよい。この構成によれば、例えば、第二の隙間に積極的に水が導入できるので、扉の一方と他方とで水圧差をより効率的に軽減することができる。
【０００９】
また、本実施形態に係る止水部材の上記第二の部分は、例えば、上記扉の幅方向で上記構造物に接する位置まで延設されていてもよい。この構成によれば、例えば、扉の一方と他方とで水の受圧面積の差を小さくすることができる。その結果、冠水時の扉の開放に必要な力を低減することができる。
【００１０】
また、本実施形態に係る止水部材の上記第一の部分と上記支持面との間には、例えば、シール部材が介在してもよい。この構成によれば、第二の隙間に水が導入された場合でも第二の部材より構造物の一方側への水の浸入抑制効果がより向上できる。
【００１１】
また、本実施形態に係る止水部材の上記シール部材は、例えば、上記第一の部分の外縁部から離れた位置に固定されてもよい。この構成によれば、例えば、止水部材の保管時に、シール部材が他の物体（例えば床や壁）と接触する可能性が低減できる。その結果、シール部材の保管時の劣化（例えば弾性力の低下）が軽減できる。
【発明の効果】
【００１２】
上述の構成によれば、取り扱い性や機能性が改善されたシンプルな構造の止水部材が提供できる。
【図面の簡単な説明】
【００１３】
【図１】図１は、第１実施形態に係る止水部材の一例を示す斜視図であり、設置時に扉に面する側の第一の部分及び第二の部分が見えている図である。
【図２】図２は、第１実施形態に係る止水部材の一例を示す斜視図であり、設置時に扉に面しない側（屋内側）の第一の部分及び第二の部分が見えている図である。
【図３】図３は、実施形態に係る止水部材を設置可能な構造物（ドア枠、扉）の一例を示す斜視図である。
【図４】図４は、第１実施形態に係る止水部材の設置状態を示す図であり、屋外側から見た場合の斜視図である。
【図５】図５は、第１実施形態に係る止水部材の設置状態を示す横断面図である。
【図６】図６は、第１実施形態に係る止水部材の設置状態を示す縦断面図である。
【図７】図７は、第１実施形態に係る止水部材のシール部材の位置を示す斜視図である。
【図８】図８は、第１実施形態に係る止水部材の第二の隙間に水を導入した場合の扉の一方と他方との圧力関係を説明する断面図である。
【図９】図９は、第１実施形態に係る止水部材の第一の部分に形成された連通溝の一例を示す斜視図である。
【図１０】図１０は、第１実施形態に係る止水部材と扉に形成された突起物との関係の一例を説明する斜視図である。
【図１１】図１１は、第１実施形態に係る止水部材と扉に形成された突起物との関係の他の例を説明する斜視図である。
【図１２】図１２は、第２実施形態に係る止水部材の一例を示す斜視図であり、設置時に扉に面しない側（屋内側）の第一の部分及び第二の部分が見えている図である。
【図１３】図１３は、第２実施形態に係る止水部材の第二の部分と扉の一方との間に水を導入した場合の扉の一方と他方との圧力関係を説明する断面図である。
【図１４】図１４は、第２実施形態に係る止水部材において、第二の部分と扉の一方との間の隙間を拡大するためのスペーサを介在させた場合を示す横断面図である。
【図１５】図１５は、第３実施形態の止水部材を示す横断面図である。
【図１６】図１６は、第１実施形態に係る止水部材の第二の部分に水圧がかかった場合の変形を抑制する補強バーを設置した状態を説明する斜視図である。
【図１７】図１７は、第１実施形態に係る止水部材において、補強部を形成した例を示す斜視図である。
【発明を実施するための形態】
【００１４】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１５】
第１実施形態．
図１は、第１実施形態に係る止水部材１０の斜視図であり、設置時に扉１２（図３参照）に面する側の第一の部分１４及び第二の部分１６が見えている図である。また、図２は、止水部材１０を設置した場合に扉１２に面しない側（屋内側）の第一の部分１４及び第二の部分１６が見えている斜視図である。図３は、不図示の構造物の開口部に固定されるドア枠１８と当該ドア枠１８に取り付けられた扉１２の斜視図である。図３の場合、扉１２は、開口部の一方（例えば屋内側）と他方（例えば屋外側）とを仕切ることができる例えば外開き型の扉である。ドア枠１８には、扉１２が閉じられたときに当該扉１２に対して開口部の一方（屋内側）に位置され開口部の他方（屋外側）を向いた支持面が形成されている。支持面は、例えば、ドア枠１８の下部枠部分と縦枠部分に形成される。ドア枠１８の下部枠部分には、例えば、扉１２が閉じられたときに扉１２の下縁部１２ａが向き合う下部戸当り１８ａが支持面として形成される。また、ドア枠１８の縦枠部分には、扉１２が閉じられたときに扉１２の側縁部１２ｂが向き合う縦戸当り１８ｂが支持面として形成される。なお、図３の場合、扉１２とドア枠１８とが接続される蝶番が設けられた側の縦戸当り１８ｂのみが図示され、ドア枠１８を閉じた場合にノブ２０に近い側の縦戸当り１８ｂは不図示である。扉１２を閉じられた場合に、各戸当りと扉１２との間には、隙間（後述する第一の隙間Ａ）が形成されるようになっている。なお、図３では、例えば、下部戸当り１８ａ、左右の縦戸当り１８ｂ及びドア枠１８の上部に形成された上部戸当り（不図示）には、不図示のパッキン（シール部材）が取り付けられてもよい。そして、扉１２が閉じられたときに扉１２がパッキンに接触する、またはパッキンを押し潰すことにより、各戸当りと扉１２との間に形成される第一の隙間Ａを減少させて（第一の隙間Ａをシールして）、屋内の気密性を向上できるようになっていてもよい。
【００１６】
図１、図２に戻り、止水部材１０は、第一の部分１４と第二の部分１６とを備える。第一の部分１４は、止水部材１０を構造物の開口部、すなわちドア枠１８に設置する場合に、各戸当りと扉１２との間に形成される第一の隙間Ａに挿入される部分である。具体的には、第一の部分１４のうちドア枠１８の幅方向に沿って形成された下部挿入部１４ａは、扉１２が閉じられることにより、下部戸当り１８ａと下縁部１２ａ（図３参照）とによって挟持される。同様に、第一の部分１４のうちドア枠１８の縦方向に沿って形成された縦挿入部１４ｂは、扉１２が閉じられることにより、縦戸当り１８ｂと側縁部１２ｂとによって挟持される。
【００１７】
第二の部分１６は、第一の部分１４よりも扉１２の周縁部から一方側（屋内側）に離れて位置される。つまり、扉１２の周縁部である下縁部１２ａ及び側縁部１２ｂに挟持される第一の部分１４より第二の部分１６は屋内側に位置される。第二の部分１６は、扉１２の下部（例えば扉１２の下端から６０ｃｍ）の一方側（屋内側）で、第一の隙間Ａよりも大きい第二の隙間Ｂをあけて面するように構成されている。止水部材１０は、図１に示すように、扁平の第二の部分１６の周縁部のうちドア枠１８の幅方向に沿って、第二の部分１６と直交するように幅方向縁部１６ａに連設された底壁部２２ａと、ドア枠１８の縦方向に沿って、第二の部分１６と直交するように縦方向縁部１６ｂに連設された側壁部２２ｂとを備える。このように、第二の部分１６及びそれに直交する底壁部２２ａと側壁部２２ｂとによって、止水部材１０がドア枠１８に設置されて扉１２と対面したときに第二の隙間Ｂが形成される。そして、底壁部２２ａの一端側に下部挿入部１４ａが縦方向に突出するように接続されている。つまり、下部挿入部１４ａは、底壁部２２ａにおいて第二の部分１６から遠い側に形成されたフランジである。同様に、側壁部２２ｂの一端側に縦挿入部１４ｂが幅方向に突出するように接続されている。つまり、縦挿入部１４ｂは、側壁部２２ｂにおいて第二の部分１６から遠い側に形成されたフランジである。つまり、このフランジ（下部挿入部１４ａ及び縦挿入部１４ｂ）が第一の隙間Ａに挿入される。
【００１８】
また、下部挿入部１４ａの一方側及び縦挿入部１４ｂの一方側、すなわちドア枠１８に設置した場合に屋内側に向く側には、シール部材２４が固定されている。シール部材２４については、後述するが、例えば、柔軟性（可撓性、弾性）を有する材料、例えば合成樹脂材料（ゴム、エラストマ、柔軟性樹脂等）で形成されている。例えば、独立発泡型の気泡を多く含むゴム材料で、温度変化に対する劣化が少なく、耐摩耗性のある材料で構成することが望ましい。一例として、エプトシーラー（登録商標）等を利用することができる。
【００１９】
また、止水部材１０は、第二の部分１６において、底壁部２２ａから縦枠（高さ）方向に離れた位置に止水部材１０を運搬するときやドア枠１８に設置する際に手指を挿入して持ち上げる開口部２６が例えば左右２カ所に形成されている。止水部材１０が扉１２に対面したときでも、第二の隙間Ｂが存在するため開口部２６に利用者は手指を挿入し易く、容易に止水部材１０を運搬したり、ドア枠１８に設置する際に位置決めすることができる。なお、開口部２６に代えて、または加えて例えば第二の部分１６の一方側（屋内側）や第二の部分１６の上端部（上面部）に取っ手を設けてもよい。また、止水部材１０にストラップ等を付けてもよく、同様の効果を得ることができる。
【００２０】
止水部材１０は、例えば、扁平な金属板（例えば、鉄板やステンレス板）を曲げ加工するとともに、適宜溶接等を行うことで形成することができる。また、止水部材１０は、樹脂（例えば、繊維強化プラスチック等）を用いて成形してもよい。
【００２１】
このように構成される止水部材１０の設置例を図４〜図６を用いて説明する。図４は、止水部材１０の設置状態を示す図であり、開口部の他方側（屋外側）から見た場合の斜視図である。図５は、止水部材１０の設置状態を示す横断面図である。また、図６は、止水部材１０の設置状態を示す縦断面図である。
【００２２】
図４に示すように、止水部材１０は、扉１２が開かれた状態（屋外側に外開きの状態）のときに、ドア枠１８の開口部に設置される。すなわち、扉１２が閉じられたときに当該扉１２の下縁部１２ａと下部戸当り１８ａとの間及び側縁部１２ｂと縦戸当り１８ｂとの間に形成される第一の隙間Ａに第一の部分１４が挿入されるように設置される。具体的には、止水部材１０の第一の部分１４のうち下部挿入部１４ａが下部戸当り１８ａに当接するように挿入され、縦挿入部１４ｂが縦戸当り１８ｂに当接するように挿入される。この場合、止水部材１０は、第一の部分１４が第二の部分１６より屋外側になるような姿勢（向き）で支持されて、屋外側から下部戸当り１８ａ、縦戸当り１８ｂに当接するような姿勢で設置される。前述したように、第一の部分１４より第二の部分１６が屋内側に位置するので、止水部材１０の重心が当該止水部材１０をドア枠１８に寄りかからせるような位置に存在するので、止水部材１０の設置時に止水部材１０は自立し易く、屋外側に倒れにくくなる。その結果、設置準備時の取り扱いが容易になる。また、止水部材１０が設置し易くなり、設置機能性が改善（向上）される。
【００２３】
第一の隙間Ａに止水部材１０を挿入した後、図５、図６に示すように、扉１２を閉じる。扉１２を閉じることにより、下縁部１２ａが下部戸当り１８ａに対面し、側縁部１２ｂが縦戸当り１８ｂに対面する。前述したように、下部戸当り１８ａ、縦戸当り１８ｂ、上部戸当り１８ｃには、パッキン２８（シール部材）が配置され、扉１２が閉じられたときに、パッキン２８に接触する、またはパッキン２８が変形するようになっている。図６の場合、例えば、扉１２の上縁部１２ｃが上部戸当り１８ｃに配置されたパッキン２８を変形させて、気密性の向上（すきま風等の侵入抑制）を行っている。下縁部１２ａおよび側縁部１２ｂも同様にパッキン２８を変形させて気密性の向上に寄与できる。
【００２４】
扉１２の下部Ｃにおける第一の隙間Ａは、止水部材１０の第一の部分１４が挿入されるとパッキン２８が更に変形して（潰れて）第一の隙間Ａにおける止水部材１０の第一の部分１４の挿入状態を許容する。図５に示すように、縦挿入部１４ｂに固定されたシール部材２４が縦戸当り１８ｂに固定されたパッキン２８に当接して、互いにまたは一方が弾性変形する。同様に、図６に示すように、下部挿入部１４ａに固定されたシール部材２４が下部戸当り１８ａに固定されたパッキン２８に当接して、互いにまたは一方が弾性変形する。その結果、パッキン２８は、止水部材１０の第一の部分１４が介在しない場合に比べて大きく変形する。そして、ドア枠１８、第一の部分１４（止水部材１０）、扉１２の三者の密着性（水密性）が向上される。つまり、仮に扉１２の他方側（屋外側）で冠水した場合でも、シール部材２４及びパッキン２８により止水部材１０の一方側（屋内側）がシール（止水）されるので、止水部材１０の周囲から屋内側へ水が浸入することが抑制できる。
【００２５】
なお、図５、図６の例では、シール部材２４及びパッキン２８を用いる場合を示したが、いずれか一方、または両方を省略してもよい。例えば、構造物の仕様によっては、ドア枠１８側のパッキン２８がない場合がある。このような場合は、ドア枠１８と第一の部分１４との間のシールをシール部材２４のみで行うようにしてもよい。この場合も、第一の隙間Ａに、第一の部分１４及びシール部材２４が介在する（挟み込まれる）ことにより、ドア枠１８、第一の部分１４（止水部材１０）、扉１２の三者の密着性（水密性）を向上させることができる。逆に、例えば、第一の部分１４のシール部材２４を省略してもよい。この場合、ドア枠１８のパッキン２８に直接第一の部分１４を接触させることになる。パッキン２８は第一の部分１４が介在する場合、第一の部分１４が介在しない場合に比べてより圧縮させられるので、ドア枠１８、第一の部分１４（止水部材１０）、扉１２の三者の密着性（水密性）を向上させることができる。また、扉１２は、一般的に金属等で形成されたフレームの表面を薄板材で覆うことによって構成されている。したがって、扉１２は厚み方向に僅かに弾性変形可能である場合がある。このような場合は、シール部材２４及びパッキン２８の両方を省略することができる。この場合、止水部材１０が設置されない場合の第一の隙間Ａの寸法より僅かに第一の部分１４の厚み寸法を大きくする。その結果、扉１２の弾性変形を利用して、ドア枠１８と扉１２とによって直接第一の部分１４を挟持する。この場合もドア枠１８、第一の部分１４（止水部材１０）、扉１２の三者の密着性（水密性）を向上させることができる。
【００２６】
なお、止水部材１０の第二の部分１６は、扉１２の幅方向で構造物（ドア枠１８）に接する位置まで延設してもよい。例えば、図５に示すように、止水部材１０の幅Ｗ１（対向する側壁部２２ｂの外面間距離）は、ドア枠１８（開口部）の開口幅Ｗ０より僅かに大きくすることができる。つまり、ドア枠１８に止水部材１０を設置する場合、止水部材１０を僅かに幅方向に圧縮させながら圧入状態で設置するようにしてもよい。このように、圧入状態で設置することにより、止水部材１０の設置姿勢が安定する。また、後述するが、冠水状態で扉１２を開けて屋外に出る場合でも、止水部材１０がドア枠１８から外れ難くなる。つまり、冠水時に扉１２を開けた場合でも屋内側に水が浸入することが抑制され、利用者に安心感を与えやすくなる。なお、他の実施例では、止水部材１０の幅Ｗ１をドア枠１８の開口幅Ｗ０と同等または開口幅Ｗ０より小さくしてもよい。この場合、ドア枠１８の所定位置に止水部材１０を設置し易くなり（単に置くだけになり）、固定はもっぱら扉１２とドア枠１８とによる挟持により行われる。この場合、止水部材１０の設置及び取り外し時の作業が容易になるというメリットがある。
【００２７】
図７は、止水部材１０のシール部材２４の固定位置を示す斜視図である。シール部材２４は、第一の部分１４（下部挿入部１４ａ、縦挿入部１４ｂ）の一方側（屋内側）のみに設けられる。また、シール部材２４は、第一の部分１４の外縁部１４ｃから離れた位置に固定されている。つまり、下部挿入部１４ａに固定されるシール部材２４は、外縁部１４ｃより底壁部２２ａに近い位置に固定されている。同様に、縦挿入部１４ｂに固定されるシール部材２４は、外縁部１４ｃより側壁部２２ｂに近い位置に固定されている。このように、シール部材２４を外縁部１４ｃから離れた位置に固定することにより、例えば止水部材１０の保管時に、シール部材２４が他の物体（例えば床や壁）と接触する可能性が低減できる。その結果、保管時のシール部材２４の劣化を軽減できる。例えばシール部材２４が保管時に壁や床に接触して長時間圧縮変形した状態が継続され弾性力（復元力）が低下してしまうことが抑制できる。なお、止水部材１０を保管する場合は、図７に示すように下部挿入部１４ａが上方になるように、設置時とは逆さまにして保管することが望ましい。また、この場合、第一の部分１４に対して第二の部分１６が離れた位置に存在するので、立て掛けやすく保管しやすいというメリットもある。なお、図７の場合、方形（平帯状）のシール部材２４を第一の部分１４（下部挿入部１４ａ、縦挿入部１４ｂ）に配置（固定）する例を示した。別の実施例においては、シール部材２４が底壁部２２ａや側壁部２２ｂまで跨いで配置（固定）されるようにしてもよい。例えば、断面形状が略Ｌ字形状のシール部材２４を用いて、下部挿入部１４ａと底壁部２２ａとの両方を跨ぎシールするようにしてもよい。同様に、縦挿入部１４ｂと側壁部２２ｂとの両方を跨ぎシールするようにしてもよい。この場合、ドア枠１８（戸当り）との密着性が更に増し、シール性をより向上させることができる。なお、下部挿入部１４ａと底壁部２２ａに別々のシール部材を配置（固定）してもよい。また、一方を止水部材１０側、他方をドア枠１８側に配置するようにしてもよく、同様の効果を得ることができる。
【００２８】
ところで、扉１２が閉じられた状態で、扉１２の他方側（屋外側）が冠水した場合、扉１２の屋外側に水圧が作用して扉１２が容易に開けない場合があるという問題がある。例えば、屋外の冠水が初期の段階では、構造物内（屋内）に避難している場合が多い。一方、冠水が所定値を越えた場合には、より安全な避難場所に移動することが望ましい場合がある。そこで、第１実施形態の止水部材１０は、扉１２が閉じた状態で、かつ止水部材１０がドア枠１８に設置された状態で、扉１２の他方側（屋外側）から水（冠水した水）を止水部材１０と扉１２との間に導入できるように、第二の部分１６が第二の隙間Ｂを形成している。
【００２９】
扉１２は、ドア枠１８に対して開閉自在とするために、一般的にドア枠１８と扉１２の下面部１２ｄ、側面部１２ｅ、上面部１２ｆとの間には隙間が形成されている。例えば、図５に示すように、側面部１２ｅとドア枠１８との間には、縦隙間Ｄが形成されている。同様に、図６に示すように、下面部１２ｄとドア枠１８との間には、下部隙間Ｅが形成されている。そのため、冠水した水の一部は、ドア枠１８と扉１２との間を通過することができる。図５、図６に示すように、扉１２の下縁部１２ａと下部挿入部１４ａとが当接し、側縁部１２ｂと縦挿入部１４ｂとが当接するが、扉１２の表面は完全な平面ではなく、凹凸が存在する場合がある。例えば、意匠性の向上のために縦縞等のような凹凸の模様が付与されている場合がある。また、第１実施形態の止水部材１０の場合、下縁部１２ａと下部挿入部１４ａとの間や側縁部１２ｂと縦挿入部１４ｂとの間にはシール部材を介在させない。そのため、図８に示すように下部隙間Ｅ（及び縦隙間Ｄ）から浸入した水は、下縁部１２ａと下部挿入部１４ａとの間（及び側縁部１２ｂと縦挿入部１４ｂとの間）を通り、矢印Ｑで示すように、止水部材１０の第二の部分１６、底壁部２２ａ、側壁部２２ｂ及び扉１２の一方側の面（屋内側の面）で囲まれた空間（第二の隙間Ｂ）に意図的に浸入させられる。
【００３０】
この場合、下部隙間Ｅ（及び縦隙間Ｄ）を通過して浸入する水の流れは、扉１２の他方側（屋外側）の水頭高さと扉１２の一方側（屋内側）の第二の隙間Ｂにおける水頭高さとが同じになった時点で停止する。この場合、扉１２の他方側（屋外側）の水圧Ｐ１と扉１２の一方側（屋内側）の第二の隙間Ｂにおける水圧Ｐ２とがつり合う（打ち消し合う）。その結果、扉１２は、水中に浸かっている場合と同じ状態になり、扉１２に作用する力は水の抵抗のみになり容易に開くことができる。その結果、構造物の屋内側にいた利用者は、扉１２を開き屋外に移動することが可能になる。なお、この場合もドア枠１８と止水部材１０の第一の部分１４との水密状態は、シール部材２４やパッキン２８により維持されるので、水が屋内側に浸入してしまうことが抑制できる。また、扉１２が開かれた場合、それまでドア枠１８に対して第一の部分１４を押圧していた力が解放されるが、第一の部分１４及び第二の部分１６の他方側（屋外側）は、水圧が作用してドア枠１８側（下部戸当り１８ａ側、縦戸当り１８ｂ側）に押圧されるので、第一の部分１４の付勢状態が維持される。また、図５に示すように、止水部材１０の幅Ｗ１（対向する側壁部２２ｂの外面間距離）をドア枠１８（開口部）の開口幅Ｗ０より僅かに大きくすることにより、扉１２を開いた場合でも止水部材１０をドア枠１８に対して自立させやすくなり、水圧により倒れたり、止水可能な姿勢が損なわれないようにすることができる。
【００３１】
図９は、止水部材１０の変形例を示す斜視図である。前述したように、止水部材１０は、意図的に第二の隙間Ｂに水を導入するが、その浸入経路は下縁部１２ａと下部挿入部１４ａとの間に形成される隙間や側縁部１２ｂと縦挿入部１４ｂとの間に形成される隙間である。そこで、図９に示すように、第一の部分１４（下部挿入部１４ａ、縦挿入部１４ｂ）に連通溝３０を形成して、より積極的に第二の部分１６と扉１２の一方との間の第二の隙間Ｂに水が導入できるようにしている。この場合、扉１２の他方側（屋外側）の水頭高さの上昇速度と扉１２の一方側（屋内側）の第二の隙間Ｂにおける水頭高さの上昇速度の差を低減することができる。その結果、扉１２を開けようとしたときに、第二の隙間Ｂにおける水頭高さの上昇を待たなければならないという不都合の発生を低減できる。なお、図９の場合、下部挿入部１４ａと縦挿入部１４ｂの両方に連通溝３０が形成されている例を示しているが、連通溝３０は、下部挿入部１４ａと縦挿入部１４ｂのいずれか一方でもよく、同様の効果を得ることができる。なお、連通溝３０は、下部挿入部１４ａに形成することにより冠水の初期の段階から第二の隙間Ｂに水の導入ができるので、扉１２の他方側と一方側の水頭高さの差の発生が抑制し易い。
【００３２】
止水部材１０の幅は、止水部材１０を設置する構造物（開口部）の仕様によって決定され、止水部材１０の高さは、冠水の特性に応じて決定することが望ましい。例えば、扉１２の幅が広ければ、それに応じて止水部材１０も幅の広いものが選択される。また、止水部材１０の高さは、過去に発生した冠水の高さに応じて、それに余裕値を加えた高さのものを選択すればよい。また、扉１２の一方側（屋内側）には、様々な突起物が存在する場合がある。例えば、図１０、図１１に示すように、一方側（屋内側）に郵便ポスト３２を備える扉１２がある。このような扉１２に止水部材１０を適用する場合、止水部材１０の高さは、郵便ポスト３２と干渉しない（非干渉となる）ように選択される。図１０は、標準的な大きさ（高さ）の止水部材１０（例えば、５０ｃｍ程度までの冠水が予想される地域で利用可能な止水部材１０）の設置例を示す図である。図１０は、第二の隙間Ｂが郵便ポスト３２の厚みより薄く、高さが郵便ポスト３２の下端位置より低い止水部材１０が設置されている例である。このように、止水部材１０は必要最小限の大きさとすることで、運搬が容易にできるととともに、保管スペースの軽減に寄与できる。
【００３３】
図１１は、冠水高さが高いことが予想される地域で適用可能な止水部材１０の設置例である。このような地域で利用するする止水部材１０は、第二の隙間Ｂが郵便ポスト３２の厚みより厚く、高さが郵便ポスト３２の少なくとも一部を覆うような形状にすることができる。図１１の場合、止水部材１０が郵便ポスト３２をほぼ覆っている。このように、扉１２の突起物を覆うように止水部材１０を構成することにより、冠水高さが高い場合でも、止水が良好にできる。なお、いずれの場合も、扉１２が閉じられた状態で、第二の隙間Ｂに水を導くことができるので、冠水時に扉１２を容易に開けて屋外に移動することができる。また、救助等のために扉１２を容易に開けて屋内に入ることができる。なお、図１０、図１１に示す止水部材１０は、図４等で説明する止水部材１０と第二の隙間Ｂの厚み及び高さが異なるのみで、基本的な構成は同じであり、同様の効果を得ることができる。
【００３４】
このように、第１実施形態によれば、取り扱いやすく設置や撤去が容易な止水部材１０を提供できる。また、止水部材１０と扉１２との間に形成される第二の隙間Ｂに水を挿入するので、冠水時でも扉１２の表裏に作用する水圧差が低減可能となり、扉１２の開放を容易にできる。つまり、止水の前後においても取り扱いが容易な止水部材１０が提供できる。
【００３５】
第２実施形態．
図１２に第２実施形態の止水部材４０の斜視図を示す。この止水部材４０も第１実施形態の止水部材１０と同様に、第一の部分４２と第二の部分４４を備える。図１２は、設置時に扉１２に面しない側（屋内側）の第一の部分４２及び第二の部分４４が見えている図である。図１２に示すように、第一の部分４２と第二の部分４４とは、実質的に同一平面上に位置する。つまり、止水部材４０の少なくとも他方側（屋外側）は、扁平な面を有する。第一の部分４２は、構造物の開口部（ドア枠１８）の一方と他方とを仕切る扉１２が閉じられた状態で、扉１２の下縁部１２ａまたは側縁部１２ｂと、扉１２に対して一方側に位置され他方を向いた構造物の支持面と、の間の第一の隙間Ａに挿入される。すなわち、第一の部分４２は、止水部材４０を構造物の開口部、すなわちドア枠１８に設置する場合に、支持面となる各戸当りと扉１２との間に形成される第一の隙間Ａに挿入される部分である（図３参照）。具体的には、第一の部分４２のうちドア枠１８の幅方向に沿って形成された下部挿入部４２ａは、扉１２が閉じられることにより、下部戸当り１８ａと下縁部１２ａとによって挟持される。同様に、第一の部分４２のうちドア枠１８の縦方向に沿って形成された縦挿入部４２ｂは、扉１２が閉じられることにより、縦戸当り１８ｂと側縁部１２ｂとによって挟持される。
【００３６】
第二の部分４４は、第一の部分４２よりも扉１２の周縁部から離れて位置される。つまり、扉１２の周縁部である下縁部１２ａ及び側縁部１２ｂに挟持される第一の部分４２より第二の部分４４は内側に位置される。前述したように、第一の部分４２と第二の部分４４とは、実質的に同一平面上に位置するので、第一の部分４２が、第一の隙間Ａに挿入され、ドア枠１８と扉１２との間に挟持されている場合、第二の部分４４は扉１２の一方側（屋内側）の下部Ｃの部分で、実質的に扉１２に面する（接触する）。
【００３７】
また、下部挿入部４２ａ及び縦挿入部４２ｂの一方側、すなわちドア枠１８に設置した場合に屋内側に向く側には、シール部材４６が固定されている。シール部材４６は、第１実施形態のシール部材２４と同じであり、同様の機能を有する。すなわち、シール部材４６は、例えば、柔軟性（可撓性、弾性）を有する材料、例えば合成樹脂材料（ゴム、エラストマ、柔軟性樹脂等）で形成されている。例えば、独立発泡型の気泡を多く含むゴム材料で、温度変化に対する劣化が少なく、耐摩耗性のある材料で構成することが望ましい。一例として、エプトシーラー（登録商標）等を利用することができる。
【００３８】
また、止水部材４０は、第二の部分４４において、下部挿入部４２ａから離れた位置に止水部材４０を運搬するときやドア枠１８に設置する際に用いる取っ手４８が例えば左右２カ所に形成されている。止水部材４０は、第１実施形態の止水部材１０と異なり、手指を挿入し易い広い第二の隙間Ｂを持たないので、屋内側に突出して取っ手４８が有効である。取っ手４８を用いることで、容易に止水部材４０を運搬したり、ドア枠１８に設置する際に位置決めすることができる。なお、取っ手４８に代えて、または加えて例えば第二の部分４４の上端部（上面部）に別の取っ手を設けてもよい。また、止水部材４０にストラップ等を付けてもよく、同様の効果を得ることができる。
【００３９】
止水部材４０は、例えば、扁平な金属板（例えば、鉄板やステンレス板）や樹脂（例えば、繊維強化プラスチック等）を用いて形成することができる。
【００４０】
このように構成される止水部材４０の設置例を図１３を用いて説明する。図１３は、止水部材４０の設置状態を示す縦断面図である。止水部材４０も第１実施形態の止水部材１０と同様に、扉１２が開かれた状態（屋外側に外開きの状態）のときに、ドア枠１８の開口部に設置される。すなわち、扉１２が閉じられたときに当該扉１２の下縁部１２ａと下部戸当り１８ａとの間及び側縁部１２ｂと縦戸当り１８ｂとの間に形成される第一の隙間Ａに第一の部分４２が挿入されるように設置される。具体的には、止水部材４０の第一の部分４２のうち下部挿入部４２ａが下部戸当り１８ａに当接するように挿入され、縦挿入部４２ｂが縦戸当り１８ｂに当接するように挿入される（図３参照）。
【００４１】
第一の隙間Ａに止水部材４０を挿入した後、図１３に示すように、扉１２を閉じる。扉１２を閉じることにより、下縁部１２ａが下部戸当り１８ａに対面し、側縁部１２ｂが縦戸当り１８ｂに対面する。第１実施形態で示したように、下部戸当り１８ａ、縦戸当り１８ｂ、上部戸当り１８ｃには、パッキン２８（シール部材）が配置され、扉１２が閉じられたときに、パッキン２８に接触する、またはパッキン２８が変形するようになっている。
【００４２】
第１実施形態と同様に、扉１２の下部Ｃにおける第一の隙間Ａは、止水部材４０の第一の部分４２が挿入されるとパッキン２８が更に変形して（潰れて）第一の隙間Ａにおける止水部材４０の第一の部分４２の挿入状態を許容する。そして、第１実施形態の止水部材１０と同様に、縦挿入部４２ｂに固定されたシール部材４６が縦戸当り１８ｂに固定されたパッキン２８に当接して、互いにまたは一方が弾性変形する。同様に、下部挿入部４２ａに固定されたシール部材４６が下部戸当り１８ａに固定されたパッキン２８に当接して、互いにまたは一方が弾性変形する。その結果、パッキン２８は、止水部材４０の第一の部分４２が介在しない場合に比べて大きく変形する。そして、ドア枠１８、第一の部分４２（止水部材４０）、扉１２の三者の密着性（水密性）が向上される。つまり、仮に扉１２の他方側（屋外側）で冠水した場合でも、シール部材４６及びパッキン２８により止水部材４０の一方側（屋内側）がシール（止水）されるので、止水部材４０の周囲から屋内側へ水が浸入することが抑制できる。
【００４３】
なお、図１３の例では、シール部材４６及びパッキン２８を用いる場合を示したが、パッキン２８を省略してもよい。例えば、構造物の仕様によっては、ドア枠１８側のパッキン２８がない場合がある。このような場合は、ドア枠１８と第一の部分４２との間のシールをシール部材４６のみで行うようにしてもよい。この場合も、第一の隙間Ａに、第一の部分４２及びシール部材４６が介在する（挟み込まれる）ことにより、ドア枠１８、第一の部分４２（止水部材４０）、扉１２の三者の密着性（水密性）を向上させることができる。
【００４４】
なお、図１２に示すように、シール部材４６は、第一の部分４２（下部挿入部４２ａ、縦挿入部４２ｂ）の一方側（屋内側）のみに設けられる。また、シール部材４６は、第一の部分４２の外縁部４２ｃから離れた位置に固定されている。つまり、下部挿入部４２ａに固定されるシール部材４６は、外縁部４２ｃより第二の部分４４に近い位置に固定されている。同様に、縦挿入部４２ｂに固定されるシール部材４６は、外縁部４２ｃより第二の部分４４に近い位置に固定されている。このように、シール部材４６を外縁部４２ｃから離れた位置に固定することにより、例えば止水部材４０の保管時に、シール部材４６が他の物体（例えば床や壁）と接触する可能性が低減できる。その結果、シール部材４６の保管時の劣化が軽減できる。例えばシール部材４６が保管時に壁や床に接触して長時間圧縮変形した状態が継続されて弾性力（復元力）が低下してしまうことが抑制できる。
【００４５】
ところで、扉１２が閉じられた状態で、扉１２の他方側（屋外側）が冠水した場合、扉１２の屋外側に水圧が作用して扉１２が容易に開けない場合があるという問題がある。例えば、屋外の冠水が初期の段階では、構造物内（屋内）に避難している場合が多い。一方、冠水が所定値を越えた場合には、より安全な避難場所に移動することが望ましい場合がある。そこで、第２実施形態の止水部材４０は、扉１２が閉じた状態で、かつ止水部材４０がドア枠１８に設置された状態で、扉１２の他方側（屋外側）から水（冠水した水）を止水部材４０と扉１２との間に導入できるように構成されている。
【００４６】
前述したように、扉１２は、ドア枠１８に対して開閉自在とするために、一般的にドア枠１８と扉１２の下面部１２ｄ、側面部１２ｅ、上面部１２ｆとの間には隙間が形成されている。例えば、第１実施形態の図５を参照すると、側面部１２ｅとドア枠１８との間には、縦隙間Ｄが形成されている。また、図６を参照すると、下面部１２ｄとドア枠１８との間には、下部隙間Ｅが形成されている。そのため、冠水した水の一部は、ドア枠１８と扉１２との間を通過することができる。図５、図６に示すように、扉１２の下縁部１２ａと下部挿入部１４ａとが当接し、側縁部１２ｂと縦挿入部１４ｂとが当接するが、扉１２の表面は完全な平面ではなく、凹凸が存在する場合がある。例えば、意匠性の向上のために例えば縦縞等のような凹凸の模様が付与されている場合がある。止水部材４０の場合、下縁部１２ａと下部挿入部４２ａとの間や側縁部１２ｂと縦挿入部４２ｂとの間にはシール部材を介在させない。そのため、図１３に示すように下部隙間Ｅ（及び縦隙間Ｄ）から浸入した水は、下縁部１２ａと下部挿入部４２ａとの間（及び側縁部１２ｂと縦挿入部４２ｂとの間）を通り、矢印Ｑで示すように、止水部材４０の第二の部分４４と扉１２の一方側の面（屋内側の面）との間に意図的に浸入させられる。
【００４７】
この場合、下部隙間Ｅ（及び縦隙間Ｄ）を通過して浸入する水の流れは、扉１２の他方側（屋外側）の水頭高さと扉１２の一方側（屋内側）の第二の隙間Ｂにおける水頭高さとが同じになった時点で停止する。止水部材４０の場合、第二の部分４４の他方側（屋外側）と扉１２の一方側（屋内側）とは接近しているための、両者間に形成される隙間は小さいが、屋外側の水圧により水が下部隙間Ｅ（縦隙間Ｄ）を介して押し込まれる。この場合、扉１２の他方側（屋外側）の水圧Ｐ１と扉１２の一方側（屋内側）と第二の部分４４の他方側（屋外側）との間の隙間における水圧Ｐ２とがつり合う（打ち消し合う）。その結果、扉１２は、水中に浸かっている場合と同じ状態になり、扉１２に作用する力は水の抵抗のみになり容易に扉１２を開くことができる。その結果、構造物の屋内側にいた利用者は、扉１２を開き屋外に移動することが可能になる。なお、この場合もドア枠１８と止水部材４０の第一の部分４２との水密状態は、シール部材４６やパッキン２８により維持されるので、水が屋内側に浸入してしまうことが抑制できる。また、扉１２が開かれた場合、それまでドア枠１８に対して第一の部分４２を押圧していた力が解放されるが、第一の部分４２及び第二の部分４４の他方側（屋外側）は、水圧が作用してドア枠１８側（下部戸当り１８ａ側、縦戸当り１８ｂ側）に押圧されるので、第一の部分４２の付勢状態が維持される。その結果、扉１２を開いた場合でも止水部材４０をドア枠１８に対して自立させやすくなり、水圧により倒れたり、止水可能な姿勢が損なわれないようにすることができる。
【００４８】
図１４は、止水部材４０を用いた止水構造の変形例を示す横断面図である。具体的には、第二の部分４４と扉１２の一方側（屋内側）との間の隙間を拡大するためのスペーサ５０を介在させた場合を示す例である。前述したように、止水部材４０は、第一の部分４２と第二の部分４４が、実質的に同一平面上に位置するため、第二の部分４４と扉１２との隙間は僅かである。つまり、止水部材４０と扉１２との間に導入できる水の量が少量である。そこで、止水部材４０と扉１２との間にスペーサ５０を介在させる。スペーサ５０は、例えば、ブロック形状の樹脂（プラスチック、ゴム等）や木材等で構成することができる。スペーサ５０は、例えば、止水部材４０と扉１２との間で、縦挿入部４２ｂに沿った位置に連続的または間欠的に配置することができる。スペーサ５０は、止水部材４０側に固定してもよいし、扉１２側に固定してもよい。また、止水部材４０を設置するときに、単体のスペーサ５０を配置するようにしてもよい。図１４に示すように、止水部材４０と扉１２との間にスペーサ５０を介在させることにより隙間Ｆが形成され、下部隙間Ｅ（図１３参照）や縦隙間Ｄを通過した水をより多く、また確実に扉１２と止水部材４０の間に導入することができる。つまり、扉１２の一方側（屋内側）に十分な水を導入し、冠水時に扉１２が水の中に浸かっている状態をより確実に実現して、扉１２をより容易に開けるようにすることができる。なお、スペーサ５０の厚みは、数ｍｍ〜数ｃｍ程度とすることができる。
【００４９】
このように、第一の部分４２と第二の部分４４とが実質的に同一平面上に位置するようにした止水部材４０は、シンプルな構成で取り扱いやすく設置や撤去が容易となる。また、止水部材４０と扉１２との間に水を挿入するので、冠水時でも扉１２の表裏に作用する水圧差が低減可能となり、扉１２の開放を容易にできる。つまり、止水の前後においても取り扱いが容易な止水部材４０が提供できる。
【００５０】
第３実施形態．
図１５は、第３実施形態の止水部材６０の横断面図である。止水部材６０は、第１実施形態で示した止水部材１０の変形例である。止水部材１０の場合、第一の部分１４や第二の部分１６は、水圧に耐えうる剛性を確保するために、例えば金属で構成される。その場合、重量が重くなってしまい、運搬性が低下してしまう場合がある。一方、止水部材１０を樹脂で構成する場合、軽量化は容易であるが剛性の確保が難しくなる場合がある。そこで、止水部材６０は、軽量化を重視して表面部分を樹脂で構成するとともに、補強を施し水圧に耐えうる構造を有する。
【００５１】
止水部材６０は、第一の部分６２と第二の部分６４を備える。そして、第二の部分６４は軽量化のため樹脂の薄板材で形成されている。一方、第一の部分６２（下部挿入部６２ａ、縦挿入部６２ｂ）は第二の部分６４に水圧がかかったときに挟持されていない部分が撓んだりしないように、例えば金属で形成されて、例えば矩形のフレーム６６にネジ等の締結部材により固定されている。第二の部分６４は、フレーム６６の他面側（屋外側）に固定されている。フレーム６６は例えば金属で構成することができるが、止水部材６０の全てを金属で形成する場合に比べて軽量化に寄与できる。また、フレーム６６を合成の高い樹脂で形成してもよい。フレーム６６の一方側（屋内側）には、樹脂の薄板材等で形成される化粧板６８ａが固定されている。なお、図１５の場合、第二の部分６４の外縁部をフレーム６６に固定するための化粧板６８ｂを配置しているが、第二の部分６４を樹脂成形するときに化粧板６８ｂを一体的に成形してもよい。また、フレーム６６の底面部には、樹脂の薄板材等で形成される底面板６８ｃが固定されている。なお、図示を省略しているが、フレーム６６の上面部には、樹脂の薄板材等で形成される上面板が固定されている。つまり、フレーム６６は樹脂の薄板材で覆われている。また、第二の部分６４と化粧板６８ａとの間には、複数の補強部材７０が配置されている。補強部材７０は、例えば高さ方向（紙面鉛直方向）に延びる、例えば弾性変形し難い樹脂ブロック等で構成され、第二の部分６４を一方側（屋内側）から支える。
【００５２】
このように構成される止水部材６０は、樹脂の薄板材が多用されるので、軽量化に寄与できる。また、第二の部分６４は、フレーム６６や補強部材７０によって一方側（屋内側）から支えられるので、薄板材の第二の部分６４が水圧によって変形する（撓む）ことを抑制できる。
【００５３】
図１６は、扉１２とドア枠１８との間に設置された状態の止水部材１０に水圧が付与された場合（第二の隙間Ｂに水が導入された場合）に、第二の部分１６の撓み（変形）による外れや水漏れを抑制するための止水構造を示す斜視図である。例えば、住宅の玄関の場合、扉１２の内側には玄関床面７２ａ（靴脱ぎ場）が広がり、さらに玄関床面７２ａから一段高くなったフロア床面７２ｂ（室内床面）があることがある。そこで、図１６に示す止水構造の場合、止水部材１０を（一方側）屋内側から支える支持部材７４を玄関床面７２ａとフロア床面７２ｂとの段差部分で固定する（突っ張る）ようにしている。支持部材７４は、例えば、支持バー７４ａ、突っ張り部７４ｂ、固定座部７４ｃ、高さ調整部７４ｄを含む。支持バー７４ａは、止水部材１０の幅方向に延びる棒状部材であり、止水部材１０に対して支持部材７４を設置する場合、第二の部分１６を他方側（屋外側）に押し戻さないように配置される。つまり、止水部材１０が、水圧により変形していない場合には、僅かな隙間を有して配置されるか、触れている姿勢（実質的に押圧しない姿勢）で配置される。したがって、第一の部分１４が下部戸当り１８ａ側から離れない（水密を低下させない）ようにしている。突っ張り部７４ｂは、支持バー７４ａと固定座部７４ｃとを接続して、仮に止水部材１０が一方側（屋内側）に、変形して支持バー７４ａを屋内側に押した場合に突っ張る。固定座部７４ｃは、玄関床面７２ａとフロア床面７２ｂとの段差部分に当接して、支持部材７４が屋内側に後退しないように支持する。高さ調整部７４ｄは、突っ張り部７４ｂの傾斜姿勢を調整して、玄関床面７２ａに位置する固定座部７４ｃに対する支持バー７４ａの高さを決定する。なお、支持部材７４は、玄関床面７２ａとフロア床面７２ｂとの段差部分以外、例えば屋内側の側壁７６と接触して突っ張るようにしてもよい。この場合、例えば支持バー７４ａに対する突っ張り部７４ｂの角度を調整可能として側壁７６に向かって延びるようにしてもよく、同様の効果を得ることができる。
【００５４】
このように、止水部材１０に対して支持部材７４を用いることにより、止水部材１０の変形や設置ズレ、それらに伴う水漏れを抑制することができる。なお、支持部材７４は、止水部材１０の非変形時には、止水部材１０を押圧しないので、設置および取り外しが容易である。また、支持部材７４は組み立て式としてもよく、収納時には分解して収納スペースを低減することができる。また、支持部材７４は、止水部材４０にも適用可能であり同様な効果を得ることができる。
【００５５】
図１７は、止水部材１０の補強を行う場合の一例を示す斜視図である。図１７の場合、止水部材１０の第二の部分１６に補強部７８を形成して止水部材１０自体の剛性を増加させている。図１７の場合、補強部７８は、例えば、第二の部分１６の成形時にプレス加工等により、第二の部分１６の一部を一方側（屋内側）に突出させ、第二の部分１６の幅方向に延びる凸部が形成されている。このような補強部７８を形成することで、止水部材１０（第二の部分１６）が水圧により一方側（屋内側）に撓み（曲がり）、第一の部分１４がドア枠１８と扉１２とによる挟持部分から抜けてしまうことが抑制できる。補強部７８は、第２実施形態の止水部材４０にも適用可能であり、同様の効果を得ることができる。補強部７８は、図１７に示すような屋内側に突出した凸部の他、例えば、第二の隙間Ｂ側に突出した形状（屋内側から見ると凹部）にしてもよいし、波型形状にしてもよく、同様の効果を得ることができる。第２実施形態の止水部材４０に屋内側から見て凹部の補強部７８や波形の補強部７８を適用することにより、スペーサ５０を介在させた場合と同じ状態となり、水を導入するための隙間Ｆを形成することができる。また、補強部７８は、棒状の別部材（リブ）を溶接や接着等により固定してもよく、同様の効果を得ることができる。
【００５６】
ところで、上述した第１実施形態の止水部材１０の場合、図７に示すように、底壁部２２ａを備えている。この場合、下部挿入部１４ａが下部戸当り１８ａと下縁部１２ａとの間に挟持されるので、止水性能が高い。一方、簡略化した別の実施例によれば、底壁部２２ａおよび下部挿入部１４ａを省略することができる。つまり、簡略化された止水部材１０の場合、縦挿入部１４ｂ、側壁部２２ｂ、第二の部分１６、側壁部２２ｂ、縦挿入部１４ｂが連続する形状としてもよい。この場合、止水部材１０を金属板で成形する場合、折り曲げ加工のみで成形可能となり、製造工数の削減および製造コストの低減に寄与することができる。なお、この場合、止水部材１０の底辺部のシールが低下する場合がある。この場合、底面部に沿って例えば、シール部材２４と同等のシール部材を設ける。このような簡易型の止水部材１０を設置する場合、止水部材１０は、縦戸当り１８ｂと側縁部１２ｂとの間に挟持される縦挿入部１４ｂのみで支持される。そして、第二の隙間Ｂのシールは、縦挿入部１４ｂと底辺部に固定されたシール部材とで行う。したがって、簡易型の止水部材１０を設置する場合は、止水部材１０を下方に押し下げて底辺部のシール部材を圧縮変形させた上で、扉１２を閉めて底辺部の水密性を維持するようにする。逆に下部挿入部１４ａのみで止水部材１０を挟持して縦挿入部１４ｂを省略するようにしてもよい。この場合、側壁部２２ｂの端部が縦戸当り１８ｂの端部に当接することになる。したがって、側壁部２２ｂにシール部材を固定しておくことにより、第二の隙間Ｂに対するシールを行い、第１実施形態の止水部材１０と同様に機能させることができる。
【００５７】
なお、図１０、図１１においては、扉１２の突起物の一例として、郵便ポスト３２を示したが、突起物は、これに限定されず、例えば、ドアノブや扉１２の下部に取り付けられたドアストッパ等でもよく、止水部材１０は、これらの突起物と非干渉であればよく、同様の効果を得ることができる。また、図１０は、止水部材１０の高さを突起物である郵便ポスト３２に干渉しないようにする場合を示し、図１１は、止水部材１０は、郵便ポスト３２を覆う場合を説明したが、これに限らず、止水部材１０と突起物とが非干渉となればよい。例えば、図１０、図１１では、第二の部分１６が扁平である場合を示したが、突起物の位置及び大きさに対応して、第二の部分１６の一部に突起物を受け入れるような形状にしてもよい。例えば、第二の部分１６の一部に凹部（屋内側に凹んだ部分）を設けたり、第二の部分１６の上部の一部を下方に向けて切り欠いた部分（下方に凹んだ部分）を設けて干渉しないようにしてもよい。
【００５８】
上述した本発明の実施形態、変形例に係る止水部材は、上述した実施形態、変形例に限定されず、特許請求の範囲に記載された範囲で種々の変更が可能である。本実施形態に係る止水部材は、以上で説明した各実施形態の構成要素を適宜組み合わせることで構成してもよい。
【符号の説明】
【００５９】
１０，４０，６０  止水部材
１２  扉
１２ａ  下縁部
１２ｂ  側縁部
１４，４２，６２  第一の部分
１４ａ  下部挿入部
１４ｂ  縦挿入部
１４ｃ，４２ｃ  外縁部
１６，４４，６４  第二の部分
１８ａ  下部戸当り
１８ｂ  縦戸当り
２２ａ  底壁部
２２ｂ  側壁部
２４，４６  シール部材
２６  開口部
３０  連通溝
Ａ  第一の隙間
Ｂ  第二の隙間。
【図１】
2020128699.tif 000003
【図２】
2020128699.tif 000004
【図３】
2020128699.tif 000005
【図４】
2020128699.tif 000006
【図５】
2020128699.tif 000007
【図６】
2020128699.tif 000008
【図７】
2020128699.tif 000009
【図８】
2020128699.tif 000010
【図９】
2020128699.tif 000011
【図１０】
2020128699.tif 000012
【図１１】
2020128699.tif 000013
【図１２】
2020128699.tif 000014
【図１３】
2020128699.tif 000015
【図１４】
2020128699.tif 000016
【図１５】
2020128699.tif 000017
【図１６】
2020128699.tif 000018
【図１７】
2020128699.tif 000019
【手続補正書】
【提出日】令和2年6月25日(2020.6.25)
【手続補正１】
【補正対象書類名】特許請求の範囲
【補正対象項目名】全文
【補正方法】変更
【補正の内容】
【特許請求の範囲】
【請求項１】
構造物の開口部の一方側と他方側とを仕切る扉が閉じられた状態で、前記扉の下縁部および側縁部と、前記扉に対して前記一方側に位置され前記他方側を向いた戸当りと、の間の隙間に挿入され挟持可能な第一の部分と、
前記第一の部分と同一平面上で、かつ前記第一の部分より内側で、閉じられた状態の前記扉の前記一方側の下部と対向可能な第二の部分と、
前記第一の部分の前記一方側のみで、かつ前記第一の部分の外縁部より内側の位置に前記外縁部に沿って設けられた第一のシール部材と、
を備えた止水部材。
【請求項２】
前記第一のシール部材は、前記戸当りの前記他方側に設けられた第二のシール部材と接触可能な位置に設けられ、前記扉が閉じられた状態で前記第一のシール部材と前記第二のシール部材のうち少なくとも一方が弾性変形する、請求項１に記載の止水部材。
【請求項３】
前記第一の部分の前記他方側と前記第二の部分の前記他方側の少なくとも一方に、閉じられた状態の前記扉の前記一方側と前記第二の部分の前記他方側との間に所定の隙間を形成するスペーサが設けられている、請求項１または請求項２に記載の止水部材。
【請求項４】
前記第二の部分の前記一方側の面に、少なくとも一つの取っ手が設けられている、請求項１から請求項３のいずれか１項に記載の止水部材。
【請求項５】
構造物の開口部の一方側と他方側とを仕切る開閉可能な扉と、
前記開口部に固定され、閉じられた状態の前記扉に対して前記一方側に位置し、前記他方において、前記扉の下縁部および側縁部に対向する戸当りを備えるドア枠と、
閉じられた状態の前記扉と、前記戸当りと、の間の隙間に挿入され挟持可能な第一の部分と、
前記第一の部分と同一平面上で、かつ前記第一の部分より内側で、閉じられた状態の前記扉の前記一方側の下部と対向可能な第二の部分と、
前記第一の部分の前記一方側のみで、かつ前記第一の部分の外縁部より内側の位置に前記外縁部に沿って設けられた第一のシール部材と、
を備えた止水構造。
【請求項６】
前記戸当りは、前記他方側に第二のシール部材を備え、
前記第一のシール部材は、前記第二のシール部材と接触可能な位置に設けられ、前記扉が閉じられた状態で前記第一のシール部材と前記第二のシール部材のうち少なくとも一方が弾性変形する、請求項５に記載の止水構造。
【請求項７】
前記第一の部分の前記他方側と前記第二の部分の前記他方側の少なくとも一方と、閉じられた状態の前記扉の前記一方側との間に、閉じられた状態の前記扉の前記一方側と前記第二の部分の前記他方側との間に所定の隙間を形成するスペーサが介在する、請求項５または請求項６に記載の止水構造。
【請求項８】
前記第二の部分の前記一方側の面には、少なくとも一つの取っ手が設けられている、請求項５から請求項７のいずれか１項に記載の止水構造。
【手続補正３】
【補正対象書類名】明細書
【補正対象項目名】０００６
【補正方法】変更
【補正の内容】
【０００６】
上記目的を達成するために、本実施形態に係る止水部材は、構造物の開口部の一方側と他方側とを仕切る扉が閉じられた状態で、上記扉の下縁部および側縁部と、上記扉に対して上記一方側に位置され上記他方側を向いた戸当りと、の間の隙間に挿入され挟持可能な第一の部分と同一平面上で、かつ上記第一の部分より内側で、閉じられた状態の上記扉の上記一方側の下部と対向可能な第二の部分と、上記第一の部分の上記一方側のみで、かつ上記第一の部分の外縁部より内側の位置に上記外縁部に沿って設けられた第一のシール部材と、を備える。この構成によれば、例えば、第一の部材の他方側の面には、シール部材が存在しない。従って、第二の部材の他方側が、閉じられた状態の扉と対面した場合で、扉の他方側が浸水していた場合、扉の周囲から第二の部材と扉との間に意図的に水を浸入させることができる。つまり、扉の他方側（屋外側）の水圧と、扉の一方側（屋内側）と止水部材の第二の部分の他方側（屋外側）との間の隙間における水圧とをつり合わせる（打ち消し合う）ことができる。その結果、扉は、水中に浸かっている場合と同じ状態になり、扉に作用する力は水の抵抗のみになり、例えば、救出や非難の際に容易に扉を開くことができる。また、シール部材は、第一の部分の外縁部より内側の位置で外縁部に沿って設けられているので、止水部材の保管時に、シール部材は、他の物体との接触を回避し易く、劣化抑制ができる。
【手続補正４】
【補正対象書類名】明細書
【補正対象項目名】０００７
【補正方法】変更
【補正の内容】
【０００７】
上記目的を達成するために、本実施形態に係る止水構造は、構造物の開口部の一方側と他方側とを仕切る開閉可能な扉と、上記開口部に固定され、閉じられた状態の上記扉に対して上記一方側に位置し、上記他方において、上記扉の下縁部および側縁部に対向する戸当りを備えるドア枠と、閉じられた状態の上記扉と、上記戸当りと、の間の隙間に挿入され挟持可能な第一の部分と、上記第一の部分と同一平面上で、かつ上記第一の部分より内側で、閉じられた状態の上記扉の上記一方側の下部と対向可能な第二の部分と、上記第一の部分の上記一方側のみで、かつ上記第一の部分の外縁部より内側の位置に上記外縁部に沿って設けられた第一のシール部材と、を備える。この構成によれば、例えば、第一の部材の他方側の面には、シール部材が存在しない。従って、第二の部材の他方側が、閉じられた状態の扉と対面した場合で、扉の他方側が浸水していた場合、扉の周囲から第二の部材と扉との間に意図的に水を浸入させることができる。つまり、扉の他方側（屋外側）の水圧と、扉の一方側（屋内側）と止水部材の第二の部分の他方側（屋外側）との間の隙間における水圧とをつり合わせる（打ち消し合う）ことができる。その結果、扉は、水中に浸かっている場合と同じ状態になり、扉に作用する力は水の抵抗のみになり、例えば、救出や非難の際に容易に扉を開くことができる。また、シール部材は、第一の部分の外縁部より内側の位置で外縁部に沿って設けられているので、止水部材の保管時に、シール部材は、他の物体との接触を回避し易く、劣化抑制ができる。
【手続補正５】
【補正対象書類名】明細書
【補正対象項目名】０００８
【補正方法】変更
【補正の内容】
【０００８】
また、本実施形態に係る止水部材の上記第一のシール部材は、例えば、上記戸当りの上記他方側に設けられた第二のシール部材と接触可能な位置に設けられ、上記扉が閉じられた状態で上記第一のシール部材と上記第二のシール部材のうち少なくとも一方が弾性変形するようにしてもよい。また、本実施形態に係る止水構造の上記戸当りは、上記他方側に第二のシール部材を備え、上記第一のシール部材は、例えば、第二のシール部材と接触可能な位置に設けられ、上記扉が閉じられた状態で上記第一のシール部材と上記第二のシール部材のうち少なくとも一方が弾性変形するようにしてもよい。この構成によれば、例えば、第二の部材の一方側（屋内側）への水の浸入をより抑制し易くすることができる。
【手続補正６】
【補正対象書類名】明細書
【補正対象項目名】０００９
【補正方法】変更
【補正の内容】
【０００９】
また、本実施形態に係る止水部材の上記第一の部分の上記他方側と上記第二の部分の上記他方側の少なくとも一方に、例えば、閉じられた状態の上記扉の上記一方側と上記第二の部分の上記他方側との間に所定の隙間を形成するスペーサが設けられていてもよい。この構成によれば、例えば、スペーサを設けることにより、より広い隙間が形成され、扉の周囲を通過した水をより多く、また確実に扉と第二の部材の間に導入し易くすることができる。その結果、扉をより開け易くすることができる。
【手続補正７】
【補正対象書類名】明細書
【補正対象項目名】００１０
【補正方法】変更
【補正の内容】
【００１０】
また、本実施形態に係る止水構造の上記第一の部分の上記他方側と上記第二の部分の上記他方側の少なくとも一方と、閉じられた状態の上記扉の上記一方側との間に、例えば、閉じられた状態の上記扉の上記一方側と上記第二の部分の上記他方側との間に所定の隙間を形成するスペーサを介在させてもよい。この構成によれば、例えば、スペーサを介在させることにより、より広い隙間が形成され、扉の周囲を通過した水をより多く、また確実に扉と第二の部材の間に導入し易くすることができる。その結果、扉をより開け易くすることができる。
【手続補正８】
【補正対象書類名】明細書
【補正対象項目名】００１１
【補正方法】変更
【補正の内容】
【００１１】
また、本実施形態に係る止水部材または止水構造の上記第二の部分の上記一方側の面に、例えば、少なくとも一つの取っ手が設けられていてもよい。この構成によれば、例えば、止水部材の設置、運搬または止水構造の構築を容易に行うことができる。
【手続補正９】
【補正対象書類名】明細書
【補正対象項目名】００１２
【補正方法】変更
【補正の内容】
【００１２】
上述の構成によれば、取り扱い性や機能性が改善されたシンプルな構造の止水部材または止水構造が提供できる。
【手続補正１０】
【補正対象書類名】明細書
【補正対象項目名】００５８
【補正方法】変更
【補正の内容】
【００５８】
上述した本発明の実施形態、変形例に係る止水部材または止水構造は、上述した実施形態、変形例に限定されず、特許請求の範囲に記載された範囲で種々の変更が可能である。本実施形態に係る止水部材または止水構造は、以上で説明した各実施形態の構成要素を適宜組み合わせることで構成してもよい。
なお、以下に実施形態の付記を開示する。
止水部材は、構造物の開口部の一方と他方とを仕切る扉が閉じられた状態で、上記扉の下縁部または側縁部と、上記扉に対して上記一方に位置され上記他方を向いた上記構造物の支持面と、の間の第一の隙間に挿入される第一の部分と、上記第一の部分よりも上記扉の周縁部から離れて位置され、上記扉の下部の上記一方で、上記第一の隙間よりも大きい第二の隙間をあけて面した第二の部分と、を備える。この構成によれば、例えば、扉が閉じられた状態で第二の部分が扉の一方から第二の隙間をあけて面するので、扉と第二の部分との間に手指が挿入可能となる。その結果、設置作業の最後まで止水部材の支持が容易になり、止水部材の設置姿勢の調整が容易にできる。また、支持面と接する第一の部分より第二の部分が開口部の一方（例えば屋内側）に位置するので、止水部材の重心位置が開口部の一方側になる（偏る）。その結果、設置作業及び取り外し作業を行う場合に、止水部材が支持面に寄りかかり倒れにくい状態になるので、止水部材の取り扱いが容易になるとともに設置機能性が改善できる。
また、止水部材の上記第一の部分は、例えば、上記扉の上記他方の側から上記第二の隙間に水を導入可能に構成されてもよい。この構成によれば、例えば、扉の他方（例えば屋外側）が冠水して扉の他方に水圧がかかっている場合でも、扉の一方（例えば屋内側）と第二の部分で形成される第二の隙間に水が導入されるので、扉の一方と他方で水圧差が軽減される。その結果、取り扱いを容易にしつつ、扉の外が冠水した状態でも扉を開けやすくなり、設置時（止水時）の機能性(利便性)が改善（向上）できる。
また、止水部材の上記第一の部分には、例えば、上記第二の部分と上記扉の一方との間の上記第二の隙間に水を導入する連通溝が形成されていてもよい。この構成によれば、例えば、第二の隙間に積極的に水が導入できるので、扉の一方と他方とで水圧差をより効率的に軽減することができる。
また、止水部材の上記第二の部分は、例えば、上記扉の幅方向で上記構造物に接する位置まで延設されていてもよい。この構成によれば、例えば、扉の一方と他方とで水の受圧面積の差を小さくすることができる。その結果、冠水時の扉の開放に必要な力を低減することができる。
また、止水部材の上記第一の部分と上記支持面との間には、例えば、シール部材が介在してもよい。この構成によれば、第二の隙間に水が導入された場合でも第二の部材より構造物の一方側への水の浸入抑制効果がより向上できる。
また、止水部材の上記シール部材は、例えば、上記第一の部分の外縁部から離れた位置に固定されてもよい。この構成によれば、例えば、止水部材の保管時に、シール部材が他の物体（例えば床や壁）と接触する可能性が低減できる。その結果、シール部材の保管時の劣化（例えば弾性力の低下）が軽減できる。